(57)【要約】【課題】密閉度を高めることができる保冷容器を提供する。【解決手段】容器本体２と蓋体３とを備え、容器本体２は、底壁と４つの本体用側壁２２とを備え、４つの本体用側壁２２の上縁に切欠き部２８が形成され、蓋体３は、天壁３１と天壁３１の周縁部の切欠き部２８に対応する部分に、切欠き部２８を閉じる凸部３３が下方へ延出され、各切欠き部２８は、内側凸条部２９と外側部３０とを備え、各凸部３３は、内側凸条部２９が入り込んで嵌合する溝部３３Ｍを備え、天壁３１の周縁部の凸部以外の部分に、本体用側壁２２の上縁の内面２２ａに当接する内側突出部３４が下方へ突出され、本体用側壁２２の切欠き部２８以外の上縁の内面２２ａ及び内側突出部３４の外面のうちの一方に被係止部３４Ｍを形成し、かつ、被係止部３４Ｍに係止する係脱自在な係止部２２ｔを他方に形成した。【選択図】図４
2014125271.tif 000002
【特許請求の範囲】
【請求項１】
発泡性合成樹脂からなり、略矩形状の容器本体と該容器本体の高さ方向端部に形成された開口部に着脱自在に取り付けられる略矩形状の蓋体とを備え、前記容器本体は、略矩形状の底壁と該底壁の４辺から高さ方向に立ち上げられた４つの本体用側壁とを備え、該４つの本体用側壁のうちの少なくとも対向する一対の本体用側壁の上縁に切欠き部が形成され、前記蓋体は、略矩形状の天壁を備え、該天壁の周縁部の前記切欠き部に対応する部分に、該切欠き部を閉じる凸部が設けられている保冷容器であって、
前記各切欠き部は、内側に位置する内側凸条部と外側に位置し該内側凸条部よりも低い外側部とを備え、
前記各凸部は、内外方向において間隔を置いて一対の内外壁部を形成することで該内外壁部間に前記内側凸条部が入り込んで嵌合する溝部を備え、
前記天壁の周縁部の凸部以外の部分に、前記本体用側壁の上縁の内面に当接する内側突出部が設けられ、
前記本体用側壁の切欠き部以外の上縁の内面及び前記内側突出部の外面のうちの一方の面に被係止部が形成され、かつ、該被係止部に係脱自在な係止部が他方の面に形成されていることを特徴とする保冷容器。
【請求項２】
前記溝部の両側面のうちの少なくとも一側面及び前記内側凸条部の両側面のうちの前記一側面に対向する側面のうちの一方の面に被係止部が形成され、かつ、該被係止部に係脱自在な係止部が他方の面に形成されていることを特徴とする請求項１に記載の保冷容器。
【請求項３】
前記天壁の略中央部に、該天壁から前記容器本体内に突出して保冷材を収納可能な保冷材収納室を形成し、該保冷材収納室外に向かって開口する開口部を閉じる補助蓋を備えていることを特徴とする請求項１又は２に記載の保冷容器。
【発明の詳細な説明】
【技術分野】
【０００１】
本発明は、発泡性合成樹脂からなり、略矩形状の容器本体と該容器本体の開口部に着脱自在に取り付けられる略矩形状の蓋体とを備えた保冷容器に関する。
【背景技術】
【０００２】
かかる保冷容器は、発泡合成樹脂からなる開口部を備えた矩形状の蓋体と矩形状の容器本体とから構成されている。この保冷容器は、蓋体の対向する一対の蓋体用側壁に階段状の舌片を形成し、かつ、これらに対応する容器本体の一対の本体用側壁に前記舌片に嵌合する階段状の切欠き部を形成する。一方、切欠き部が形成されていない本体用側壁の上端面の内側部分に、上方に突出する凸部を周方向に沿って形成し、かつ、該凸部が入り込んで嵌合する凹部を舌片が形成されていない蓋体用側壁の下端面に形成している。そして、容器本体に蓋体を取り付けることによって、舌片と切欠き部が嵌合し、かつ、凸部と凹部が嵌合することで、容器本体に形成された開口部を蓋体で閉じることができる（例えば特許文献１参照）。
【０００３】
前記のように構成されている保冷容器は、出荷前に予冷処理を行うことができるように構成されている。つまり、蓋体を取り外した状態で野菜等の収納物を容器本体に収納し、その容器本体を例えば冷蔵庫内に積み重ねて置いておくことで、切欠き部を通して容器本体内に冷気を取り込んで、容器本体内の収納物を冷やすことができる。
【先行技術文献】
【特許文献】
【０００４】
【特許文献１】実公平３−３３６６０号公報
【発明の概要】
【発明が解決しようとする課題】
【０００５】
上記特許文献１の構成によれば、容器本体に蓋体を閉じた状態では、凸部と凹部が嵌合する部分においては、凹部内に凸部が入り込んで十分な密閉状態を保つことができる。しかし、階段状の舌片と階段状の切欠き部が嵌合する部分では、両者の階段状の段部同士が単に接触する構成であるため、密閉度を高めることができないという不都合があり、改善の余地があった。
【０００６】
本発明が前述の状況に鑑み、解決しようとするところは、密閉度を高めることができる保冷容器を提供することを課題とする。
【課題を解決するための手段】
【０００７】
本発明の保冷容器は、前述の課題解決のために、発泡性合成樹脂からなり、略矩形状の容器本体と該容器本体の高さ方向端部に形成された開口部に着脱自在に取り付けられる略矩形状の蓋体とを備え、前記容器本体は、略矩形状の底壁と該底壁の４辺から高さ方向に立ち上げられた４つの本体用側壁とを備え、該４つの本体用側壁のうちの少なくとも対向する一対の本体用側壁の上縁に切欠き部が形成され、前記蓋体は、略矩形状の天壁を備え、該天壁の周縁部の前記切欠き部に対応する部分に、該切欠き部を閉じる凸部が設けられている保冷容器であって、前記各切欠き部は、内側に位置する内側凸条部と外側に位置し該内側凸条部よりも低い外側部とを備え、前記各凸部は、内外方向において間隔を置いて一対の内外壁部を形成することで該内外壁部間に前記内側凸条部が入り込んで嵌合する溝部を備え、前記天壁の周縁部の凸部以外の部分に、前記本体用側壁の上縁の内面に当接する内側突出部が設けられ、前記本体用側壁の切欠き部以外の上縁の内面及び前記内側突出部の外面のうちの一方の面に被係止部が形成され、かつ、該被係止部に係脱自在な係止部が他方の面に形成されていることを特徴としている。
【０００８】
かかる構成によれば、容器本体に蓋体を取り付けると、本体用側壁の切欠き部において、蓋体の凸部の溝部に、本体用側壁の内側凸条部が入り込んで嵌合することによって、密閉度を高めることができる。本体用側壁の切欠き部以外の部分において、本体用側壁の上縁の内面と内側突出部の外面とが当接するだけでなく、本体用側壁の上縁の内面に形成された被係止部又は係止部と、内側突出部の外面に形成された係止部又は被係止部が係止することによって、密閉度を高めることができる。尚、本体用側壁の切欠き部以外の部分を、本体用側壁の切欠き部と同様な構成、つまり蓋体の凸部に形成した溝部とこの溝部に入り込んで嵌合する本体用側壁の内側凸条部とを備えた構成にした場合に、容器本体と蓋体との間に大きな嵌合力が作用して、蓋体を容器本体から外し難くなる。これに対して本発明では、上記した被係止部と係止部との係止を解除する程度の操作力で比較的容易に蓋体を外すことができる。
【０００９】
また、本発明の保冷容器は、前記溝部の両側面のうちの少なくとも一側面及び前記内側凸条部の両側面のうちの前記一側面に対向する側面のうちの一方の面に被係止部が形成され、かつ、該被係止部に係脱自在な係止部が他方の面に形成されていてもよい。
【００１０】
上記構成によれば、容器本体に蓋体を取り付けると、溝部の両側面のうちの少なくとも一側面に形成された被係止部又は係止部と、内側凸条部の両側面のうちの溝部の一側面に対向する側面に形成された係止部又は被係止部とが係止することによって、本体用側壁の切欠き部における密閉度を更に高めることができる。
【００１１】
また、本発明の保冷容器は、前記天壁の略中央部に、該天壁から前記容器本体内に突出して保冷材を収納可能な保冷材収納室を形成し、該保冷材収納室外に向かって開口する開口部を閉じる補助蓋を備えていてもよい。
【００１２】
上記構成によれば、天壁の略中央部に、保冷材収納室を形成することによって、保冷材の冷気を容器本体内へ案内して容器本体内を確実に保冷することができる。
【発明の効果】
【００１３】
本発明によれば、蓋体の凸部の溝部に、本体用側壁の内側凸条部が入り込んで嵌合し、本体用側壁の切欠き部以外の部分においては、本体用側壁の上縁の内面に形成された被係止部又は係止部と、内側突出部の外面に形成された係止部又は被係止部が係止することによって、密閉度を高めることができる保冷容器を提供することができる。
【図面の簡単な説明】
【００１４】
【図１】本発明に係る保冷容器の斜視図である。
【図２】同保冷容器を示す正面図である。
【図３】同保冷容器を示す側面図である。
【図４】（ａ）は図３におけるＡ−Ａ線断面図、（ｂ）は図３におけるＢ−Ｂ線断面図である。
【図５】容器本体の平面図である。
【図６】蓋体の平面図である。
【図７】蓋体の底面図である。
【図８】蓋体の正面図である。
【図９】図６におけるＣ−Ｃ線断面図である。
【発明を実施するための形態】
【００１５】
以下、本発明に係る保冷容器の一実施形態について、図面に基づいて説明する。
【００１６】
図１〜図３は、菜の花やブロッコリー等の野菜を収納することができる箱型状の保冷容器１を示している。この保冷容器１は、上端に開口部２Ａ（図５参照）を有する発泡性合成樹脂でなる容器本体２と、この容器本体２の上端の開口部２Ａを閉じて密閉状態にするための発泡性合成樹脂でなる蓋体３とから構成されている。尚、発泡性合成樹脂としては、特に限定されないが、例えば発泡ポリスチレン、発泡ポリエチレン、発泡ポリプロピレン等の各種発泡性合成樹脂が利用できる。尚、保冷容器１の短辺方向を左右方向とし、容器１の長辺方向を前後方向とする。
【００１７】
容器本体２は、図３及び図５に示すように、平面視略長方形状に形成された板状の底壁２１と、底壁２１の外周縁から上方に立ち上げられた本体用側壁２２とを備えている。
【００１８】
底壁２１の底面（下面）２１ａには、下方に突出した複数（ここでは８個）の突出部２１Ｔを備え、この突出部２１Ｔのフラットな下面２１ｔが、床面等に接する。
【００１９】
本体用側壁２２は、底壁２１の全周に亘る枠状に形成され、底壁２１の一対の長辺である左右の縁部に上方に立ち上げられた左右側壁２３，２３と、底壁２１の一対の短辺である前後の縁部から上方に立ち上げられた前後側壁２４，２４とを備え、これら４つの側壁２３，２４の上部に野菜を出し入れするための前記開口部２Ａが形成されて構成されている。
【００２０】
左右側壁２３，２３の上縁の長手方向中央部には、逆台形状の切欠き部２５が形成されている。各切欠き部２５は、内側に位置する内側凸条部２６と外側に位置し内側凸条部２６よりも低い外側部２７とを備えている。
【００２１】
内側凸条部２６は、底面部分２６Ａと、底面部２６Ａの両端の側面部分２６Ｂ，２６Ｂとからなる。側面部分２６Ｂ，２６Ｂは、側面同士の間隔が上側ほど広がる傾斜面に構成されている。外側部２７は、内側凸条部２６よりも低い外側段部に構成され、前記底面部分２６Ａよりも低い底面部分２７Ａと、底面部分２７Ａの両端の側面部分２７Ｂ，２７Ｂとからなる。側面部分２７Ｂ，２７Ｂは、側面同士の間隔が上側ほど広がる傾斜面に構成され、内側凸条部２６の側面部分２６Ｂ，２６Ｂの側面同士の間隔よりも広くなっている。
【００２２】
また、前後側壁２４，２４の上縁の長手方向中央部には、前記切欠き部２５よりも長手方向の長さが短い逆台形状の切欠き部２８が形成されている。各切欠き部２８は、内側に位置する内側凸条部２９と、外側に位置し内側凸条部２６よりも低い外側部３０とを備えている。また、前後側壁２４，２４の下縁の長手方向中央部には、指掛け用凹部２２Ａ，２２Ａが形成されている。従って、指掛け用凹部２２Ａ，２２Ａに指を入れて保冷容器１を持ち上げることができる。
【００２３】
内側凸条部２９は、底面部分２９Ａと、底面部２９Ａの両端の側面部分２９Ｂ，２９Ｂとからなる。側面部分２９Ｂ，２９Ｂは、側面同士の間隔が上側ほど広がる傾斜面に構成されている。外側部３０は、前記底面部分２９Ａよりも低い底面部分３０Ａと、底面部分２９Ａの両端の側面部分３０Ｂ，３０Ｂとからなる。側面部分３０Ｂ，３０Ｂは、側面同士の間隔が上側ほど広がる傾斜面に構成され、内側凸条部２９の側面部分２９Ｂ，２９Ｂの側面同士の間隔よりも広くなっている。
【００２４】
容器本体２に形成された切欠き部２５，２８は、収納物の予冷を行うために形成されている。つまり、容器本体２に野菜等の収納物を収納し、その容器本体２を蓋体３を装着しないで、例えば冷蔵庫内に積み重ねて置いておくことで、切欠き部２５，２８を通して容器本体２内に冷気を取り込んで、容器本体２内の収納物を冷やすことができる。
【００２５】
また、図４（ｂ）及び図５に示すように、本体用側壁２２の切欠き部２５，２８以外の上縁の内面に、内側に突出する係止部としての凸条部２２ｔが形成されている。この凸条部２２ｔは、断面形状が半円状に形成され、本体用側壁２２の４つのコーナー部の上縁内面のそれぞれに周方向に沿って形成されている。
【００２６】
また、容器本体２の対角線上に位置する角部に、指を入れることができる指入れ用凹部２２Ｂ（図２及び図３参照）が形成されている。従って、容器本体２に装着した蓋体３を取り外す場合に、指入れ用凹部２２Ｂ，２２Ｂの一方又は両方に指（例えば人差し指）を入れて容器本体２に対して蓋体３を上方へ持ち上げることによって、蓋体３を容易に取り外すことができる。
【００２７】
また、左右側壁２３，２３及び前後側壁２４，２４の４つの切欠き部２５，２８以外の上端面２３Ａ，２４Ａは、フラットな面に形成されている。
【００２８】
一方、蓋体３は、図１及び図６〜図９に示すように、平面視略長方形状で板状の蓋体本体である天壁３１と、天壁３１の周縁部の前記切欠き部２５に対応する部分に略逆台形状に形成された４つの凸部３２，３３と、天壁３１の外周縁よりも内側部分に形成された内側突出部３４と、天壁３１の中央部に下方に突出して形成された保冷材収納室３５とを備えている。天壁３１の外周縁の上面の８箇所には、帯状のバンド（図示せず）を掛けるための切欠き３１Ａ，３１Ｂ，３１Ｃ，３１Ｄが形成されている。
【００２９】
凸部３２，３３のうちの蓋体３の左右の両辺に形成された左右の凸部３２は、左右各辺の辺方向中央部に形成されている。また、蓋体３の前後の辺に形成された前後の凸部３３は、前記左右の凸部３２よりも辺方向の幅が狭く設定され、前後の各辺の辺方向中央部に形成されている。各凸部３２又は３３は、内外方向において間隔を置いて下方に突出する一対の内外壁部３２Ａ，３２Ｂ又は３３Ａ，３３Ｂを形成している。該一対の内外壁部３２Ａ，３２Ｂ又は３３Ａ，３３Ｂを形成することで、内外壁部３２Ａ，３２Ｂ又は３３Ａ，３３Ｂ間に溝部３２Ｍ又は３３Ｍを形成している。この溝部３２Ｍ又は３３Ｍに容器本体２の内側凸条部２６又は２９が入り込んで嵌合する。ここでは、内側壁部３２Ａ，３３Ａの下端位置と外側壁部３２Ｂ，３３Ｂの下端位置とを同一高さに設定している。
【００３０】
内側突出部３４は、天壁３１の外周縁よりも内側の位置に下方に突出するように環状でかつ矩形状（長方形状）に形成され、下面３４Ａはフラットな面に形成されている。この内側突出部３４の４箇所から前記内側壁部３２Ａ，３３Ａが下方へ延出されている。
【００３１】
内側突出部３４の外面には、前記凸条部２２ｔが係止する解除自在な被係止部としての係止溝３４Ｍが形成されている。この係止溝３４Ｍは、図４（ｂ）に示すように、断面形状が半円状に形成され、周方向で隣り合う凸部３２，３３間の内側突出部３４の外面に周方向に沿って形成されている。
【００３２】
保冷材収納室３５は、上方に形成された矩形状（図では長方形）の上方開口部３５Ｋと、上方開口部３５Ｋを閉じる補助蓋３６を受け止める段部３５Ｈと、段部３５Ｈの外周縁から下方に突出する収納室用前後側壁部３５Ａ，３５Ａ及び収納室用左右側壁部３５Ｂ，３５Ｂと、収納室用前後側壁部３５Ａ，３５Ａ及び収納室用左右側壁部３５Ｂ，３５Ｂの下端を連結して保冷材（図示せず）を受け止めるための収納室用底壁部３５Ｃとから構成されている。収納室用底壁部３５Ｃには、保冷材からの冷気を容器本体２側へ移動させるための円形の貫通孔３５ｃが多数（図では２０個）形成されている。また、天壁３１の上面における上方開口部３５Ｋの２つの短辺に半球状の指挿入用切欠き３７が形成されている。ここでは、収納室用底壁部３５Ｃの下面の位置と、内外壁部３２Ａ，３２Ｂ又は３３Ａ，３３Ｂの下端位置とを同一に設定している。
【００３３】
従って、上方開口部３５Ｋに嵌合している補助蓋３６を取り外す場合には、指挿入用切欠き３７，３７に指を挿入して補助蓋３６を上方へ持ち上げることによって、補助蓋３６を蓋体３から容易に取り外すことができる。補助蓋３６を取り外した後、上方開口部３５Ｋから保冷材（図示せず）を保冷材収納室３５内に収納してから、上方開口部３５Ｋに補助蓋３６を嵌合して固定する。尚、保冷材としては、蓄冷剤の他、氷やドライアイス等を用いることができる。
【００３４】
図４（ａ）及び図９に示すように、蓋体３の溝部３２Ｍ，３３Ｍの両側面に被係止部としての溝部用凹溝３８，３９を形成し、これに対向する内側凸条部２６，２９の両側面に溝部用凹溝３８，３９に係止する解除自在な係止部としての係止用凸部４０，４１を形成している。
【００３５】
溝部用凹溝３８，３９は、内外側壁３２Ａ，３２Ｂ、３３Ａ，３３Ｂの下端部の内面に、断面形状が略半円状で、かつ、内外側壁の幅の略全域に亘る長さを有する直線状の凹溝に形成されている。
【００３６】
係止用凸部４０，４１は、内側凸条部２６，２９の両側面に、断面形状が略半円状で、かつ、内側凸条部２６，２９の幅の略全域に亘る長さを有する直線状の凸部に形成されている。
【００３７】
従って、上記のように構成された容器本体２に、野菜等を収納し、容器本体２の開口部２Ａを蓋体３にて閉じる。このように容器本体２に蓋体３を取り付けると、本体用側壁２２の切欠き部２５，２８において、蓋体３の凸部３２，３３の溝部３２Ｍ，３３Ｍに、本体用側壁２２の内側凸条部２６，２９が入り込んで嵌合（図４（ａ）参照）することによって、密閉度を高めることができる。本体用側壁２２の切欠き部２５，２８以外の部分において、本体用側壁２２の上端面２２ｂと蓋体３の天壁３１の外周縁の下面３１ｂとが当接するとともに、本体用側壁２２の上縁の内面２２ａと内側突出部３４の外面３４ａとが当接するだけでなく、本体用側壁２２の上縁の内面２２ａに形成された凸条部２２ｔと、内側突出部３４の外面３４ａに形成された係止溝３４Ｍとが係止（図４（ｂ）参照）することによって、密閉度を高めることができる。尚、本体用側壁２２の切欠き部２５，２８以外の部分を、本体用側壁２２の切欠き部２５，２８と同様な構成、つまり本体用側壁２２の内側凸条部２６，２９とこの内側凸条部２６，２９が入り込んで嵌合する蓋体の溝部３２Ｍ，３３Ｍとを備えた構成にした場合に、容器本体２と蓋体３との間に大きな嵌合力が作用して蓋体３を容器本体２から外し難くなる。これに対して、本発明では、上記のように係止溝（被係止部）３４Ｍと凸条部（係止部）２２ｔとの係止を解除する程度の操作力で比較的容易に蓋体３を外すことができる。
【００３８】
しかも、溝部３２Ｍ，３３Ｍの両側面に形成された係止溝３４Ｍと、内側凸条部２６，２９の側面に形成された凸条部２２ｔとが係止することによって、本体用側壁２２の切欠き部２５，２８における蓋体３との密閉度を更に高めることができる。
【００３９】
更に、蓋体３の下方に保冷材収納室３５を形成することによって、保冷材の冷気を下方の容器本体２内へ案内して容器本体２内を確実に保冷することができる。
【００４０】
また、凸部３２，３３を構成する内側壁部３２Ａ，３３Ａが容器本体２内に入り込んでいるため、４つの内側壁部３２Ａ，３３Ａにて囲まれるデッドスペースが形成される。そのデッドスペースに、保冷材収納室３５を配置することによって、デッドスペースを有効活用することができる。
【００４１】
尚、本発明は、前記実施形態に限定されるものではなく、本発明の要旨を逸脱しない範囲で種々の変更が可能である。
【００４２】
前記実施形態では、本体用側壁２２の上縁の４箇所に切欠き部２５，２８を形成したが、対向する一対の側壁２３，２３又は２４，２４の上縁に切欠き部を形成して実施してもよい。また、切欠き部の形成位置は、本体用側壁の長手方向中央部以外に形成してもよい。また、切欠き部の形状及び大きさは自由に変更することができる。
【００４３】
また、前記実施形態では、蓋体３に保冷材収納室３５を形成したが、保冷材収納室３５の無い蓋体３であってもよい。
【００４４】
また、前記実施形態では、蓋体３に係止溝３４Ｍを形成し、容器本体に凸条部２２ｔを形成したが、蓋体３に凸条部を形成し、容器本体に係止溝を形成してもよい。また、係止溝及び凸条部の形状及び大きさは、適宜変更可能である。
【００４５】
また、前記実施形態では、溝部３２Ｍ，３３Ｍの両側面に係止溝３４Ｍを形成したが、溝部３２Ｍ，３３Ｍの一方の側面にのみ係止溝３４Ｍを形成して実施してもよい。この場合、係止溝３４Ｍが形成された側面に対向する内側凸条部２６，２９の一方の側面に凸条部２２ｔを形成することになる。
【符号の説明】
【００４６】
１…保冷容器、２…容器本体、２Ａ…開口部、３…蓋体、２１…底壁、２１Ｔ…突出部、２１ａ…底面、２１ｔ…下面、２２…本体用側壁、２２Ａ…指掛け用凹部、２２Ｂ…指入れ用凹部、２２ａ…内面、２２ｔ…凸条部（係止部）、２３…左右側壁、２４…前後側壁、２３Ａ，２４Ａ…上端面、２５，２８…切欠き部、２６，２９…内側凸条部、２７，３０…外側部、３１…天壁、３２，３３…凸部、３２Ａ，３２Ｂ、３３Ａ，３３Ｂ…内外壁部、３２Ｍ，３３Ｍ…溝部、３４…内側突出部、３４Ｍ…係止溝（被係止部）、３４ａ…外面、３５…保冷材収納室、３５Ａ…収納室用前後側壁部、３５Ｂ…収納室用左右側壁部、３５Ｃ…収納室用底壁部、３５Ｈ…段部、３５Ｋ…上方開口部、３５ｃ…貫通孔、３６…補助蓋、３８，３９…溝部用凹溝、４０，４１…係止用凸部
【図１】
2014125271.tif 000003
【図２】
2014125271.tif 000004
【図３】
2014125271.tif 000005
【図４】
2014125271.tif 000006
【図５】
2014125271.tif 000007
【図６】
2014125271.tif 000008
【図７】
2014125271.tif 000009
【図８】
2014125271.tif 000010
【図９】
2014125271.tif 000011